(57)【特許請求の範囲】
【請求項１】
鉛直材と横架材との接合部に筋かいを固定する筋かい固定金具であって、
上記筋かいの一面に当接固定される筋かい当接板部と、上記鉛直材の一面に当接固定される鉛直材当接板部と、上記横架材の一面に当接固定される横架材当接板部とを、それぞれ互いに垂直になるように形成してなり、
上記鉛直材当接板部の一側縁と上記横架材当接板部の一側縁とが所定の間隔で離れており、上記筋かい当接板部、上記鉛直材当接板部及び上記横架材当接板部にそれぞれ複数個の取付用孔を設けてあり、
上記鉛直材当接板部の上記一側縁と上記横架材当接板部の上記一側縁との間の最大距離が１４０〜２６０ｍｍであり、
上記鉛直材と上記横架材とを緊結するためにホールダウン金物と組み合わせて用いるボルトを、上記鉛直材当接板部を該鉛直材に当接固定し且つ上記横架材当接板部を該横架材に当接固定した状態において、該鉛直材当接板部の上記一側縁と該横架材当接板部の上記一側縁との間に挿通可能となされていることを特徴とする筋かい固定金具。
【請求項２】
互いに平行な上辺及び下辺と、該上辺に隣接する一対の第１短辺と、該下辺及び該第１短辺間に位置する一対の第２短辺とを有する、長手方向中央の中心線に対して左右対称である長尺６角形状の金属板を、上記一対の第２短辺にそれぞれ略平行な一対の直線部で垂直に折曲して上記鉛直材当接板部及び上記横架材当接板部を形成してあることを特徴とする請求項１に記載の筋かい固定金具。
【請求項３】
筋かい固定金具を用いて鉛直材と横架材との接合部に筋かいを固定してなる筋かい固定構造であって、
上記筋かい固定金具は、上記筋かいの一面に当接固定される筋かい当接板部と、上記鉛直材の一面に当接固定される鉛直材当接板部と、上記横架材の一面に当接固定される横架材当接板部とを、それぞれ互いに垂直になるように形成してなり、
上記鉛直材当接板部の一側縁と上記横架材当接板部の一側縁とが所定の間隔で離れており、上記筋かい当接板部、上記鉛直材当接板部及び上記横架材当接板部にそれぞれ複数個の取付用孔を設けてあり、
上記筋かいの端部を上記接合部に沿う形状に加工し、該筋かいの側面に上記筋かい当接板部を釘又はビスにより当接固定し、該筋かい固定金具の上記鉛直材当接板部を上記鉛直材の一面に、上記横架材当接板部を上記横架材の一面にそれぞれ釘又はビスにより当接固定してなり、
上記鉛直材の上記一面にホールダウン金物が固定されており、
上記鉛直材と上記横架材とを緊結するために上記ホールダウン金物と組み合わせて用いるボルトが、
上記筋かい固定金具における上記鉛直材当接板部の上記一側縁と上記横架材当接板部の上記一側縁との間を通して配されていることを特徴とする筋かい固定構造。
【発明の詳細な説明】
【０００１】
【発明の属する技術分野】
本発明は、筋かい固定金具及び筋かい固定構造に関し、詳しくは、他の構造金物との干渉を回避でき、筋かいを鉛直材及び横架材の接合部に強固に固定することのできる筋かい固定金具、及び該筋かい固定金具を用いた高耐力の筋かい固定構造に関する。
【０００２】
【従来の技術】
一般に、木造の軸組構造においては、柱や間柱等ほぼ鉛直方向に配設される鉛直材と、梁や胴差、土台等該鉛直材に対し略直角に、即ち、ほぼ水平方向に架設される横架材とで囲まれる矩形枠体内に、斜めに筋かいを挿入固定し、これにより構造体の水平力に対する抵抗力を増強させ、構造体の過大な変形や倒壊を防止している。
上記筋かいを、鉛直材と横架材との接合部に固定するための筋かい固定金具として、図６に示すような筋かい固定金具が知られている。
【０００３】
この筋かい固定金具１１０は、矩形状の筋かい当接板部１１１と、該筋かい当接板部１１１の互いに隣接した２つの縁部からそれぞれ垂直に立ち上がる鉛直材当接板部１１２及び横架材当接板部１１３とからなり、該筋かい固定金具１１０による筋かい１１４の固定は、先ず、上記筋かい当接板部１１１に設けられた所定の釘孔に釘１１５を挿入し、筋かい１１４の端部に打ち付けることによって、筋かい固定金具１１０を該筋かい１１４の端部に固定する。そして、該筋かい固定金具１１０の鉛直材当接板部１１２及び横架材当接板部１１３をそれぞれ鉛直材１１６及び横架材１１７に当接し、それぞれ同様に釘等により固定する。
【０００４】
【発明が解決しようとする課題】
しかしながら、図６に示すように上記鉛直材１１６が柱で上記横架材１１７が土台である場合には、該鉛直材１１６に沿ってホールダウン金物を設置したい場合があり、また、上記鉛直材１１６が柱で上記横架材１１７が梁である場合には、該横架材１１７の端部近傍に梁受け金物等が用いられている場合がある等、鉛直材１１６と横架材１１７との接合部近傍に他の金物が配設される場合がある。しかし、上記筋かい固定金具１１０の上記鉛直材当接板部１１２の一側縁１１２ａと横架材当接板部１１３の一側縁１１３ａとは互いに接合されているため、該筋かい固定金具１１０により、このような接合部に筋かいを固定しようとしても上記他の構造金物と互いに干渉し合い、該筋かい１１４を最適な位置からずらして固定せざるを得なかったり、あるいは他の構造金物の取付位置を変更する等の対処を余儀なくされていた。
【０００５】
また、上記他の構造金物に加え、上記筋かい固定金具１１０を固定することにより、鉛直材１１６と横架材１１７との接合部近傍に金物配設用の釘孔やボルト孔が集中するため、該接合部近傍における材の強度が低下し、構造体の耐震、耐風強度を低下させるおそれもあった。
従って、本発明の目的は、他の構造金物との干渉を回避でき、筋かいを鉛直材及び横架材の接合部に強固に固定することのできる筋かい固定金具、及び該筋かい固定金具を用いた高耐力の筋かい固定構造を提供することにある。
【０００６】
【課題を解決するための手段】
請求項１に記載の発明は、鉛直材と横架材との接合部に筋かいを固定する筋かい固定金具であって、上記筋かいの一面に当接固定される筋かい当接板部と、上記鉛直材の一面に当接固定される鉛直材当接板部と、上記横架材の一面に当接固定される横架材当接板部とを、それぞれ互いに垂直になるように形成してなり、上記鉛直材当接板部の一側縁と上記横架材当接板部の一側縁とが所定の間隔で離れており、上記筋かい当接板部、上記鉛直材当接板部及び上記横架材当接板部にそれぞれ複数個の取付用孔を設けてあり、上記鉛直材当接板部の上記一側縁と上記横架材当接板部の上記一側縁との間の最大距離が１４０〜２６０ｍｍであり、上記鉛直材と上記横架材とを緊結するためにホールダウン金物と組み合わせて用いるボルトを、上記鉛直材当接板部を該鉛直材に当接固定し且つ上記横架材当接板部を該横架材に当接固定した状態において、該鉛直材当接板部の上記一側縁と該横架材当接板部の上記一側縁との間に挿通可能となされていることを特徴とする筋かい固定金具を提供することにより、上記目的を達成したものである。
【０００７】
請求項２に記載の発明は、互いに平行な上辺及び下辺と、該上辺に隣接する一対の第１短辺と、該下辺及び該第１短辺間に位置する一対の第２短辺とを有する、長手方向中央の中心線に対して左右対称である長尺６角形状の金属板を、上記一対の第２短辺にそれぞれ略平行な一対の直線部で垂直に折曲して上記鉛直材当接板部及び上記横架材当接板部を形成してあることを特徴とする請求項１に記載の筋かい固定金具を提供することにより、上記目的を達成したものである。
【０００８】
請求項３に記載の発明は、筋かい固定金具を用いて鉛直材と横架材との接合部に筋かいを固定してなる筋かい固定構造であって、上記筋かい固定金具は、上記筋かいの一面に当接固定される筋かい当接板部と、上記鉛直材の一面に当接固定される鉛直材当接板部と、上記横架材の一面に当接固定される横架材当接板部とを、それぞれ互いに垂直になるように形成してなり、上記鉛直材当接板部の一側縁と上記横架材当接板部の一側縁とが所定の間隔で離れており、上記筋かい当接板部、上記鉛直材当接板部及び上記横架材当接板部にそれぞれ複数個の取付用孔を設けてあり、上記筋かいの端部を上記接合部に沿う形状に加工し、該筋かいの側面に上記筋かい当接板部を釘又はビスにより当接固定し、該筋かい固定金具の上記鉛直材当接板部を上記鉛直材の一面に、上記横架材当接板部を上記横架材の一面にそれぞれ釘又はビスにより当接固定してなり、上記鉛直材の上記一面にホールダウン金物が固定されており、上記鉛直材と上記横架材とを緊結するために上記ホールダウン金物と組み合わせて用いるボルトが、上記筋かい固定金具における上記鉛直材当接板部の上記一側縁と上記横架材当接板部の上記一側縁との間を通して配されていることを特徴とする筋かい固定構造を提供することにより、上記目的を達成したものである。
【０００９】
【発明の実施の形態】
以下、本発明の筋かい固定金具、及び筋かい固定構造の一実施形態について図面を参照して説明する。ここで、図１は、本形態の筋かい固定金具の示す図であり、図２は、該筋かい固定金具を用いた筋かいの固定を説明するための工程図であり、図３は、本形態の筋かい固定構造を示す概略斜視図であり、図４は、該筋かい固定金具製造時における板取りを示す概略図である。
【００１０】
本形態の筋かい固定金具１は、図２（ｃ）に示すように、鉛直材２と横架材３との接合部に筋かい４を固定する筋かい固定金具であって、図１（ｂ）に示されるように、一枚の金属板を折曲し、上記筋かい４の一面に当接固定される筋かい当接板部１１と、上記鉛直材の一面に当接固定される鉛直材当接板部１２と、上記横架材の一面に当接固定される横架材当接板部１３とを、それぞれ互いに垂直になるように形成してなり、上記鉛直材当接板部１２の一側縁１２ａと上記横架材当接板部１３の一側縁１３ａとは所定の間隔で離れており、上記筋かい当接板部１１、上記鉛直材当接板部１２及び上記横架材当接板部１３に、それぞれ複数個の取付用孔５１，５２，５３が設けられている。
【００１１】
以下、本形態の筋かい固定金具１について、より詳細に説明する。
上記垂直材２は、ほぼ鉛直方向に配される部材、例えば、柱、間柱等であり、上記横架材３は、ほぼ水平方向に配される部材、例えば、梁、胴差、土台等である。そして、上記筋かい４は、このような鉛直材及び横架材とで囲まれる矩形枠体内に、耐震性や耐風性を確保するために挿入する木質系の斜材である。
【００１２】
本形態の筋かい固定金具１は、図１（ｂ）に示すように、互いに平行な上辺１ａ及び下辺１ｂと、該上辺１ａに隣接し、該上辺１ａとの角度が鈍角である一対の第１短辺１ｃと、該下辺１ｂ及び該第１短辺１ｃ間に位置する一対の第２短辺１ｄとを有する、長手方向中央の中心線Ｌに対して左右対称の長尺６角形状の金属板を、所定の二カ所、即ち、上記一対の第２短辺１ｄにそれぞれ略平行な一対の直線部（図１（ｂ）におけるＡ−Ａ線及びＢ−Ｂ線）において垂直に折曲して形成したものある。尚、本形態における上記上辺１ａと上記第１短辺１ｃとの角度は、１３５度であり、該第１短辺１ｃと第２短辺１ｄとの角度は、９０度である。
【００１３】
上記筋かい固定金具１を形成する金属板には、予め釘孔及び／又はボルト孔等の取付用孔５が穿設されており、該金属板を折曲して、互いに垂直な上記筋かい当接板部１１、上記鉛直材当接板部１２及び上記横架材当接板部１３を形成したときに、これらの各当接板部１１，１２，１３に、それぞれ複数個の上記取付用孔５が配されるようになっている。上記筋かい当接板部１１における取付用孔５１は、長手方向に亘る全体に分散させて配置されており、用いる取付用孔を適宜に選択して、筋かい４を任意の角度で上記鉛直材及び横架材の接合部に取付可能としてある。
【００１４】
本形態の筋かい固定金具１における上記鉛直材当接板部１２の一側縁１２ａと上記横架材当接板部１３の一側縁１３ａとは、図１（ｂ）に示されるように、所定の間隔で離れており、該両側縁１２ａ、１３ａ間を、ホールダウン金物あるいは梁受け金物等、他の構造金物配設用の空間として利用することができるようになっている。
上記鉛直材当接板部１２、及び上記横架材当接板部１３は、図１に示すように、略台形状であり、上記両側縁１２ａ，１３ａは、上記筋かい当接板部１１の面に対して傾斜している。
【００１５】
上記一側縁１２ａ及び一側縁部１３ａ間の最大距離Ｗ１（図１（ｂ）参照）は、固定する筋かいの断面積等にもよるが、通常１４０〜２６０ｍｍであり、好ましくは２００〜２３０ｍｍである。該最大距離Ｗ１が１４０ｍｍ未満であると、他の構造金物との干渉を回避し難くなり、該最大距離Ｗ１が２６０ｍｍを越えると、筋かいの固定強度が不十分となるおそれがある。また、同様の観点から、上記一側縁１２ａ及び一側縁部１３ａ間の最小距離Ｗ２（図１（ｂ）参照）は、６０〜１５０ｍｍであることが好ましい。
【００１６】
次に、上記筋かい固定金具１を用いて、筋かいを鉛直材及び横架材の接合部に固定する手順の一例について説明する。
先ず、上記筋かい４の端部を、図２（ａ）に示されるように、鉛直材２及び横架材３の接合部の形状に対応させて切り欠き、２つの切り欠き面４２，４３それぞれと、上記鉛直材当接板部１２又は上記横架材当接板部１３の外側面とが同一平面を形成するように該筋かい４に上記筋かい当接板部１１を当接させ、上記取付用孔５１からスクリュー釘６等を打ち付け、該筋かい４に該筋かい固定金具１０を固定する。
【００１７】
次に、筋かい４を、図２（ｃ）に示すように、筋かい４の上記両切り欠き面４２，４３を、それぞれ該柱２の上面２ａと該土台３の側面３ａとに当接させ、上記鉛直材当接板部１２及び横架材当接板部１３の取付用孔５２，５３にスクリュー釘６を打ち込み固定する。尚、本構造においては、スクリュー釘６を用いたが、このほか普通の釘、ねじ、ビス、コーチボルト等を用いて、筋かい４を該接合部に固定しても良い。このようにして、鉛直材２と横架材３の接合部に強固に筋かい４を固定することができる
【００１８】
本形態の筋かい固定構造は、このように、上記筋かい固定金具１を用いて鉛直材としての柱２と横架材としての土台３との接合部に筋かい４を固定してなる構造であって、上記筋かい４の端部４ａを上記接合部に沿う形状に加工し、該筋かいの側面４ａに上記筋かい当接板部１１を釘やビス等により当接固定し、該筋かい固定金具１０の上記鉛直材当接板部１２を上記柱２の上面２ａに、上記横架材当接板部１３を上記土台３の側面３ａに、それぞれ釘又はビス等により当接固定してなる。
【００１９】
そして、本形態の筋かい固定構造によれば、図３に示すように、構造体の強度を確保するための、ホールダウン金物７等他の構造金物と干渉しないように筋かい固定金具を固定してあるので、他の構造金物による効果と筋かいによる効果の相乗効果を期待することができる。
即ち、上記筋かい４を固定した後であっても、上記筋かい固定金具１は邪魔にならず、上記柱２に沿ってホールダウン金物７を容易に配設することができ、あるいは、上記筋かい４の固定に先立ちホールダウン金物７により土台を緊結しておいても、筋かい４の固定を容易に行うことができる。
【００２０】
このように、本形態の筋かい固定金具１０によれば、上記筋かい当接板部１１の下縁に隣接する上記鉛直材当接板部１２の一側縁１２ａと上記横架材当接板部１３の一側縁１３ａとの間が、所定の間隔で離れているため、鉛直材としての柱２及び横架材としての土台３の接合部近傍に、ホールダウン金物７を配設する場合であっても、容易に該ホールダウン金物７との干渉を回避して、筋かい４を該接合部に固定することができる。更に、ホールダウン金物に限られず、例えば図５に示されるような、柱２と梁３との間の接合部において該接合部を補強する梁受け金物８等、接合部に配設される他の構造金物との干渉も同様に容易に回避可能であり、該接合部に筋かい４を強固に固定することができる。
【００２１】
また、図１（ｂ）に示す中央線Ｌに対して左右対称の形態を有するので、該筋かい固定金具１０は上下方向または左右方向を逆にして用いることができ、構造体における様々な接合部において、筋かいを強固に固定することができる。
【００２２】
また、本形態の筋かい固定金具１０は、上述したように扁平六角形状の金属板を折曲して形成してあるため、該形状の金属板を、図４に示すように一枚の金属板から無駄なく板取りすることにより効率的な量産が可能である。尚、図４において実線は、各金属板を切り出すための切断線を示し、点線は上記鉛直材当接板部１２又は横架材当接板部１３を形成するための折曲直線部を示している。
【００２３】
以上、本発明の筋かい固定金具及び筋かい固定構造の一実施形態について説明したが、本発明の筋かい固定金具及び筋かい固定構造は、上記実施形態に制限されず、本発明の趣旨を逸脱しない範囲で適宜変更が可能である。
【００２４】
例えば、上記鉛直材当接板部及び上記横架材当接板部は、上記実施形態におけるように一枚の金属板の一部を折曲することにより形成しても良いし、別の金属片を溶接接合し又は機械的に接合して形成しても良い。
また、上記筋かい固定金具１０における上記側縁１２ａ及び上記側縁１３ａは、それぞれ直線状であるが、それぞれ曲線状としても、中間に単一又は複数の段部を有する形状としても良い。また、該側縁１２ａ及び該側縁１３ａ間を結ぶ上記筋かい当接板部１１の下縁部も直線状の他、曲線状としても、中間に単一又は複数の段部を有する形状としても良い。
【００２５】
更に、上記鉛直材当接板部１２側と上記横架材当接板部１３とで、左右対称の形態でなくとも良く、例えば、筋かいの取付角度等に応じて鉛直材当接板部１２と上記横架材当接板部１３の大きさや形状を代えても良い。また、その他の部分の形状、寸法等についても、本発明の趣旨を逸脱しない範囲内において適宜可能である。
【００２６】
【発明の効果】
以上の説明から明らかなように、本発明によれば、他の構造金物との干渉を回避でき、筋かいを鉛直材及び横架材の接合部に強固に固定することのできる筋かい固定金具、及び該筋かい固定金具を用いた高耐力の筋かい固定構造を提供を提供することができる。
【図面の簡単な説明】
【図１】図１は、本発明の筋かい固定金具の一実施形態を示す概略図である。
【図２】図２は、該筋かい固定金具を用いた筋かいの固定を説明するための工程図である。
【図３】図３は、本発明の筋かい固定構造の一実施形態を示す概略斜視図である。
【図４】図４は、筋かい固定金具製造時における板取りを示す概略平面図である。
【図５】図５は、図１に示す筋かい固定金具の他の使用形態を示す概略斜視図である。
【図６】図６は、従来の筋かい固定金具を示す概略斜視図である。
【符号の説明】
１    筋かい固定金具
１１  筋かい当接板部
１２  鉛直材当接板部
１３  横架材当接板部
２    鉛直材（柱）
３    横架材（土台，梁）
４    筋かい
５    取付用孔
６    釘
７    ホールダウン金物
８    梁受け金物
【図１】
0003933271.tif 000002
【図２】
0003933271.tif 000003
【図３】
0003933271.tif 000004
【図４】
0003933271.tif 000005
【図５】
0003933271.tif 000006
【図６】
0003933271.tif 000007